(57)【特許請求の範囲】
【請求項１】
葉書用紙の下半分における表側に貼着部材が貼り付けられてなる郵便葉書であって、前記貼着部材は、フィルムと、該フィルムの上面に粘着剤を介して剥離可能に貼着したセパレーター用紙と、前記フィルムの下面に塗布された葉書表面への接着用の粘着剤とからなり、前記セパレーター用紙として裏面に離型処理を施したものを使用することで、前記フィルムに対する前記セパレーター用紙の剥離強度が、葉書表面に対する前記フィルムの剥離強度より小さくなっていることを特徴とする郵便葉書。
【請求項２】
葉書用紙の上半分における表側に送付すべき個人の住所氏名を出力したことを特徴とする請求項１記載の郵便葉書。
【請求項３】
葉書用紙の上半分における表側に送付すべき個人の住所氏名を出力するとともに、葉書用紙の裏側に会員証に必要なデータを出力したことを特徴とする請求項１記載の郵便葉書。
【請求項４】
葉書用紙の上半分と下半分が筋押しにより区画されていることを特徴とする請求項１，２又は３記載の郵便葉書。
【発明の詳細な説明】
【０００１】
【産業上の利用分野】
本発明は、郵便葉書に係り、詳しくは会員証などのカードとして好適に利用される郵便葉書に関するものである。
【０００２】
【従来の技術】
従来、会員証など特定の個人が使用するカードを発行部署から個人に郵送する場合、会員氏名、会員番号、有効期限等を印字したカードをそのまま或いは台紙に取り付けた状態で封筒に入れて送付している。
【０００３】
【発明が解決しようとする課題】
しかしながら、従来のやり方では、カード、封筒、台紙など数種の媒体を用意し、これらをマッチングさせて封入する必要があり、発送作業が煩わしいという問題があった。また、封書の郵送料金は第一種郵送物の定型料金（８０円）が必要であることから、カード発行のコストを押し上げるという問題もあった。そこで、例えば各種フェアなどの参加カードやデパートなどの粗品引換えカードとして利用されているのと同じように郵便葉書を会員カードなどに用いることも考えられるが、そのまま携帯して使用するにはサイズが大きいばかりでなく、郵送時の住所氏名があって体裁が悪く、また強度がないと言った問題点がある。
【０００４】
本発明は、上記のような問題点に鑑みてなされたものであり、その目的とするところは、カード発行が手軽に行えるとともに体裁のよい会員証などのカードとして利用される郵便葉書を提供することにある。
【０００５】
【課題を解決するための手段】
上記目的を達成するために、本発明の郵便葉書は、葉書用紙における表側の下半分領域に貼着部材が貼り付けられてなる郵便葉書であって、前記貼着部材は、フィルムと、該フィルムの上面に粘着剤を介して剥離可能に貼着したセパレーター用紙と、前記フィルムの下面に塗布された葉書表面への接着用の粘着剤とからなり、前記セパレーター用紙として裏面に離型処理を施したものを使用することで、前記フィルムに対する前記セパレーター用紙の剥離強度が、葉書表面に対する前記フィルムの剥離強度より小さくなっていることをその要旨とするもので、葉書用紙における表側の上半分領域に送付すべき個人の住所氏名を出力した形態にしてもよく、さらには裏側に会員証に必要なデータを出力した形態にしてもよいものである。また、葉書用紙における上半分領域と下半分領域が筋押しにより区画されていることが好ましい。
【０００６】
上述の構成からなる郵便葉書は、貼着部材のセパレーター用紙を剥がし、表側を隠すように２つ折りにして貼り合わせることにより葉書の半サイズのカードとなる。
【０００７】
【実施例】
以下、図面を参照して本発明の実施例を説明する。
【０００８】
図１は本発明に係る郵便葉書の一実施例を示すもので、（ａ）は表側から見た平面図、（ｂ）は裏側から見た平面図、図２は図１（ａ）のＸ−Ｘにおける拡大断面図である。
【０００９】
図示の如く郵便葉書Ｐは、葉書用紙１の上半分ａにおける表側に送付すべき個人の住所氏名が出力されているとともに、葉書用紙１の下半分ｂにおける表側に貼着部材１０が貼り付けられており、この貼着部材１０は、図２に示すように、フィルム１１と、フィルム１１の上面に粘着剤１２を介して剥離可能に貼着したセパレーター用紙１３と、フィルム１１の下面に塗布された葉書表面への接着用の粘着剤１４とで構成されている。なお、セパレーター用紙１３の表面には広告が印刷されている。一方、葉書用紙１の上半分ａにおける裏側には会員証に必要なデータ、例えば、会員氏名、会員番号、発行日、有効期限、発行部署などの項目が出力されており、下半分ｂにおける裏側には注意書き（図ではご利用上の注意）が印刷されている。また、葉書用紙１の上半分ａと下半分ｂが筋押し１５により区画されている。
【００１０】
上記フィルム１１としてはポリ塩化ビニルフィルムをはじめとして、ポリエチレンフィルム、ポリプロピレンフィルム、ポリエステルフィルム等を使用することができる。また、上記セパレーター用紙１３としては、通常の紙や合成紙の裏面に離型処理を施したものを使用し、フィルム１１に対するセパレーター用紙１３の剥離強度が、葉書表面に対するフィルム１１の剥離強度より小さくなるようにしている。
【００１１】
上記の構成からなる郵便葉書Ｐは、葉書用紙１の表側に住所氏名と裏側にデータをプリンターにて出力した後、下半分ｂの表側に貼着部材１０を貼り付け、この状態で通常の葉書と同様に送付される。そして、個人に届いた郵便葉書Ｐは、図３に示す如く貼着部材１０のセパレーター用紙１３を剥がして粘着剤１２を露出させた後、図４に示す如く葉書用紙１の表側を隠すように筋押し１５で２つ折りにして貼り合わせることにより図５に示すような葉書の半サイズの会員カードＣにすることができる。このようにして作成されたカードＣは、２つ折りした葉書用紙１の間にフィルム１１をサンドイッチした状態になるので、強度的にも実用に耐えるものとなる。
【００１２】
なお、上記実施例では葉書用紙１の上半分ａと下半分ｂを区画する筋押し１５を設けたが、可撓性のある葉書用紙ではフィルム１１の端縁に沿って２つ折りできるので必ずしも設ける必要はない。また、カードに耐久性を持たせたい場合には葉書用紙の素材に合成紙を用いるようにすればよいが、この場合には、２つ折りを容易とするために上記実施例の如く筋押しを設けるようにするとよい。
【００１３】
以上、本発明の実施例について説明したが、本発明は上記実施例に限定されるものではなく、作成されるカードの用途に応じて種々の形態を採り得るものである。
【００１４】
例えば、貼着部材のフィルムとしては、透明フィルム、着色フィルム、図柄を印刷したフィルムなど適宜のものが使用できる。そして、透明フィルムを使用した場合、葉書用紙の上半分における表側に住所氏名を出力する際に、下半分における表側に当該個人のみに見せたい情報等を出力しておけば、貼着部材を貼り付けることによりその個人データを隠すことができ、セパレーター用紙を剥がした際にその情報を確認することができる。
【００１５】
また、葉書用紙の上半分又は下半分の裏側に会員証に必要なデータを出力するにしても、残りの方には上記実施例のような注意書きに限らず、適宜な絵柄等を印刷して、デザイン的に工夫を凝らすようにしてもよい。また、貼着部材のセパレーター用紙の表面は広告面として利用できるほか、用途に応じその他の文字や絵柄等を印刷してもよい。
【００１６】
また、個人を特定しないような単なる参加証の如きカードでは、裏側に上記実施例のようなデータを出力しなくてもよい。さらには、葉書用紙の上半分における表側に住所氏名を手書きするようにしても勿論構わない。
【００１７】
【発明の効果】
本発明は以上のように構成されているので、次に記載の効果を奏する。
【００１８】
郵送する葉書自体が会員カード等となるため、発送作業の省力化が図れることになり、カード発行を手軽に行うことができる。
【００１９】
カードには特に必要でない郵送時の住所氏名は郵便葉書を２つ折りにした際に内側に隠れるので体裁がよく、また２つ折りすることにより強度を有したカードを作成することができる。
【００２０】
第二種郵便物の通常葉書料金（５０円）で郵送できるので、従来のように封筒を利用して送付するカードに比べて発行コストを低く押さえることができる。
【図面の簡単な説明】
【図１】本発明に係る郵便葉書の一実施例を示すもので、（ａ）は表側から見た平面図、（ｂ）は裏側から見た平面図である。
【図２】図１（ａ）のＸ−Ｘにおける拡大断面図である。
【図３】貼着部材のセパレーター用紙を剥がす様子を示す断面図である。
【図４】セパレーター用紙を剥がした後で葉書用紙を２つ折りする様子を示す断面図である。
【図５】作成されたカードを示すもので、（ａ）は表側から見た平面図、（ｂ）は裏側から見た平面図である。
【符号の説明】
Ｐ  郵便葉書
１  葉書用紙
ａ  上半分
ｂ  下半分
１０  貼着部材
１１  フィルム
１２  粘着剤
１３  セパレーター用紙
１４  粘着剤
１５  筋押し
【図１】
0003695776.tif 000002
【図２】
0003695776.tif 000003
【図３】
0003695776.tif 000004
【図４】
0003695776.tif 000005
【図５】
0003695776.tif 000006